(57)【特許請求の範囲】
【請求項１】
積層された紙葉類から紙葉類を１枚毎取り出す取出し手段と、この取出し手段によって取出された紙葉類を搬送する搬送手段と、この搬送手段によって搬送された紙葉類に所定の処理を行う処理手段と、前記紙葉類が前記取出し手段から前記搬送手段に受け渡されるまでの間は逆送力を小さく保持し、前記取出し手段から前記搬送手段へ前記紙葉類が受け渡された後に逆送力を大きくする逆送力付与手段とを備えていることを特徴とする紙葉類処理装置。
【請求項２】
積層された紙葉類から紙葉類を１枚毎取り出す取出し手段と、この取出し手段によって取出された紙葉類を搬送する搬送手段と、この搬送手段によって搬送された紙葉類に所定の処理を行う処理手段とを備えた紙葉類処理装置において、前記取出し手段の取出し力発生と同期して当該取出し手段と逆送力付与手段とのギャップを制御することによって前記紙葉類に付与する逆送力を制御可能な前記逆送力付与手段を備えたことを特徴とする紙葉類処理装置。
【請求項３】
請求項２に記載の紙葉類処理装置において、前記逆送力付与手段は、前記紙葉類が前記取出し手段から前記搬送手段に受け渡されるまでの間は前記逆送力を小さく保持し、前記取出し手段から前記搬送手段へ前記紙葉類が受け渡された後に前記逆送力を大きく制御する構成であることを特徴とする紙葉類処理装置。
【請求項４】
請求項１に記載の紙葉類処理装置において、前記逆送力付与手段は回転自在の逆送ロータを備え、この逆送ロータの外周面に前記紙葉類を吸引自在の複数の吸引口を適宜間隔に備え、前記逆送ロータの外周面における所定範囲の吸引口の面積が他の範囲の吸引口の面積よりも大きいことを特徴とする紙葉類処理装置。
【請求項５】
請求項１に記載の紙葉類処理装置において、前記逆送力付与手段は回転自在の逆送ロータを備え、この逆送ロータの外周面における所定範囲の摩擦係数が他の範囲の摩擦係数よりも大きいことを特徴とする紙葉類処理装置。
【請求項６】
請求項２に記載の紙葉類処理装置において、前記逆送力付与手段は回転自在の逆送ロータを備え、この逆送ロータの外周面における所定範囲に突出部を備えたことを特徴とする紙葉類処理装置。
【請求項７】
請求項１に記載の紙葉類処理装置において、前記逆送力付与手段は回転自在の逆送ロータを備え、この逆送ロータの外周面に前記紙葉類を吸引自在の複数の吸引口を適宜間隔に備え、前記逆送ロータの外周面における所定範囲の吸引口の面積が他の範囲の吸引口の面積よりも大きい構成であり、前記取出し手段から前記搬送手段へ前記紙葉類が受け渡された後に前記所定範囲の吸引口が前記紙葉類に対向して逆送力を増大すべく前記逆送ロータの回転と前記搬送手段への前記紙葉類の受け渡しとを同期した構成であることを特徴とする紙葉類処理装置。
【請求項８】
請求項１に記載の紙葉類処理装置において、前記逆送力付与手段は回転自在の逆送ロータを備え、この逆送ロータの外周面における所定範囲における摩擦係数が他の範囲の摩擦係数よりも大きい構成であり、前記取出し手段から前記搬送手段へ前記紙葉類が受け渡された後に摩擦係数の大きい前記所定範囲が前記紙葉類に対向して逆送力を増大すべく前記逆送ロータの回転と前記搬送手段への前記紙葉類の受け渡しとを同期した構成であることを特徴とする紙葉類処理装置。
【請求項９】
請求項２に記載の紙葉類処理装置において、前記逆送力付与手段は回転自在の逆送ロータを備え、この逆送ロータの外周面における所定範囲に突出部を備えた構成であり、前記取出し手段から前記搬送手段へ前記紙葉類が受け渡された後に前記所定範囲の突出部が前記紙葉類に対向して逆送力を増大すべく前記逆送ロータの回転と前記搬送手段への前記紙葉類の受け渡しとを同期した構成であることを特徴とする紙葉類処理装置。
【発明の詳細な説明】
【０００１】
【発明の属する技術分野】
本発明は、積層された紙葉類の上部から紙葉類を1枚毎取出して、例えば検査処理を行い、検査処理の結果に基づいて例えば区分集積等の処理を行う紙葉類処理装置に係り、さらに詳細には、積層された紙葉類の上部から取出された紙葉類の下面に逆送力を付与して２枚取り防止を能動的に行うことのできる２枚取り防止装置を備えた紙葉類処理装置に関する。
【０００２】
【従来の技術】
従来、紙葉類処理装置は、積層された紙葉類の上部から紙葉類を順次取出して搬送し、搬送された紙葉類に検査処理を行い、この検査結果に基づいて再流通紙葉類用紙と廃棄紙葉類用紙とに区分するような紙葉類検査装置として用いられている。上記紙葉類検査装置は、積層された紙葉類の上部から紙葉類を１枚毎取出すための取出し部と、取出された紙葉類を搬送する搬送部と、搬送された紙葉類を検査する検査部と、この検査部の検査結果に基づいて区分する区分部と、区分された紙葉類を集積する集積部とを備えている。
【０００３】
上記構成の紙葉類検査装置においては、積層した状態で取出し部に搬入された回収紙葉類を、取出し部でもって上部から１枚毎所定の間隔で連続的に取出し、搬送部でもってベルト搬送により高速搬送し、この高速搬送時に検査部でもって紙葉類の正損等の検査を行い、個々の紙葉類について廃棄処分か又は再利用かの決定を行っている。
【０００４】
そして、上記検査部の検査結果に基づいて区分部において各々定められた２方向に分岐搬送され、廃棄紙葉類と再利用紙葉類とに別個に再集積され、廃棄紙葉類として集積された紙葉類は、その後シュレッダ処理される。なお、前記紙葉類の処理速度は、毎秒数十枚程度であり、その搬送速度は毎秒数メートルで常に一定である。
【０００５】
より詳細には、従来の紙葉類処理装置１００は、図４、図５に概略的に示すように、積層された紙葉類１０１の上部から紙葉類を１枚毎取出す取出し部１０２と、この取出し部１０２によって取出された紙葉類１０１を搬送する搬送部１０３と、この搬送部１０３によって搬送された紙葉類１０１に所定の処理、例えば検査処理を行う検査部１０４と、この検査部１０４の検査結果に基づいて廃棄紙葉類用紙と再流通紙葉類用紙とに区分する区分部１０５と、この区分部１０５において区分された廃棄紙葉類用紙と再流通紙葉類用紙とを区分集積するための集積部１０６とを備えている。
【０００６】
前記取出し部１０２には、積層された紙葉類１０１の供給を行う給紙装置１０７と、この給紙装置１０７上の積層された紙葉類１０１を上部から取出すための取出し装置１０８と、この取出し装置１０８による紙葉類の取出し時に２枚取りを防止するための２枚取り防止装置１０９とが設けられている。
【０００７】
前記給紙装置１０７は、図５に示すように、架台１１０を備えており、この架台１１０上には、積層した紙葉類１０１を載置支持する給紙台１１１が上下動自在に備えられている。この給紙台１１１はモータによって回転駆動されるボールネジ機構（図示省略）等によって上下動されるものである。
【０００８】
前記給紙台１１１の前端部には当該給紙台１１１に対して上下動可能のレバー１１２が設けられており、このレバー１１２は、前記架台１１０に装着したリニアモータ１１３によって上下動されるものであり、その上下動位置は適宜に設けた位置センサ１１４によって検出される。
【０００９】
前記取出し装置１０８は、真空ポンプ（図示省略）に接続して負圧に保持されるチャンバ１１５を備えたパイプ状の固定軸１１６を備えた構成であって、上記固定軸１１６の下部には外周面に連通した適宜幅の開口部１１７が設けられている。上記固定軸１１６には、周方向の適宜範囲に亘って複数の吸引口１１８を備えたロータ１１９が回転自在に設けられている。このロータ１１９は、回転時に前記吸引口１１８が前記開口部１１７と対応する位置に回転して開口部１１７と連通したときに、前記給紙台１１１上の紙葉類１０１の先端側を吸着し取出して前記搬送部１０３へ移送する作用をなすものである。
【００１０】
前記ロータ１１９を回転するために、ロータ１１９には複数本のベルト１２０が掛回してある。上記ベルト１２０は前記吸引口１１８を間にしてロータ１１９の両端側に掛回してあるものであって、このベルト１２０は複数のアイドルローラ１２１を介して前記搬送部１０３に導かれている。
【００１１】
そして、上記ベルト１２０は、前記搬送部１０３における搬送路１２２において、搬送部１０３に設けた搬送ベルト１２３と接触してある。上記ベルト１２０と搬送ベルト１２３は、前記ロータ１１９によって取出し搬送された紙葉類１０１を挟み込んで前記検査部１０４へ搬送する作用をなすものである。
【００１２】
前記ロータ１１９に近接した位置において前記搬送ベルト１２３を掛回したアイドラローラ１２４と前記給紙装置１０７との間で前記ロータ１１９の下部に近接した位置には、前記ロータ１１９の吸引口１１８により吸引吸着されて取出された紙葉類１０１の２枚取りを防止する前記２枚取り防止装置１０９が設けられている。この２枚取り防止装置１０９は、真空ポンプに接続した複数の吸引口１２６を前記ロータ１１９の下部方向に指向して設けた構成である。
【００１３】
前記ロータ１１９によって取出されて移送された紙葉類１０１の通過をチェックするために、前記搬送路１２２の入口付近には、紙葉類１０１を検出するための光電式のセンサ１２８が設けられている。
【００１４】
以上のごとき構成において、リニアモータ１１３の駆動によりレバー１１２を押し上げ、給紙台１１１上の紙葉類１０１の前端部を前記ロータ１１９へ適宜の押圧力で押圧して紙葉類１０１の上下方向の位置決めを行い、かつロータ１１９及びベルト１２０を矢印Ａ方向に回転すると共にアイドルローラ１２４、ベルト１２３を矢印Ｂ方向に回転すると、ロータ１１９に設けた吸引口１１８が開口部１１７と連通したときに、積層した紙葉類１０１における最上部の紙葉類の前端部を吸着して取出すことになる。
【００１５】
そして、前記ロータ１１９の吸引口１１８によって吸引され取出された紙葉類１０１は搬送路１２２方向へ移送され、ベルト１２０とベルト１２３によって挟み込まれて搬送されることになる。このように、前記ロータ１１９が積層された紙葉類１０１を取出すとき、２枚同時に取出すと、２枚取り防止装置１０９における吸引口１２６が取出された下側の紙葉類１０１を吸着し、紙葉類１０１が２枚同時に搬送されることを防止するものである。
【００１６】
なお、前述のごとき従来の構成及びその作用は既に公知であるから、より詳細な構成、作用についての説明は省略する。
【００１７】
【発明が解決しようとする課題】
前述のごとく、従来の構成においては、ロータ１１９によって積層された最上部の紙葉類１０１を吸着して取出すとき、２枚同時に取出されると、２枚取り装置１０９における吸引口１２６が取出された紙葉類１０１の下側の紙葉類１０１を吸着して２枚取りを防止するので、２枚取り防止の点においては有効である。
【００１８】
しかし、従来の構成においては、２枚取り防止装置１０９が紙葉類１０１の２枚取りを防止したときは、単に２枚同時に搬送されることを防止すべく下側の紙葉類１０１の移送を停止するに過ぎないものであるから、２枚取り防止装置１０９が２枚取りを防止した状態においては、２枚取りを防止された紙葉類１０１が２枚取り防止装置１０９の位置に吸着された状態にあり、取出しの外乱になり易いという問題がある。
【００１９】
【課題を解決するための手段】
本発明は、前述のごとき従来の問題に鑑みてなされたもので、積層された紙葉類から紙葉類を１枚毎取り出す取出し手段と、この取出し手段によって取出された紙葉類を搬送する搬送手段と、この搬送手段によって搬送された紙葉類に所定の処理を行う処理手段と、前記紙葉類が前記取出し手段から前記搬送手段に受け渡されるまでの間は逆送力を小さく保持し、前記取出し手段から前記搬送手段へ前記紙葉類が受け渡された後に逆送力を大きくする逆送力付与手段とを備えていることを特徴とするものである。
【００２０】
請求項２に係る発明は、積層された紙葉類の上部から紙葉類を１枚毎取り出す取出し手段と、この取出し手段によって取出された紙葉類を搬送する搬送手段と、この搬送手段によって搬送された紙葉類に所定の処理を行う処理手段とを備えた紙葉類処理装置において、前記取出し手段の取出し力発生と同期して当該取出し手段と逆送力付与手段とのギャップを制御することによって前記紙葉類に付与する逆送力を制御可能の前記逆送力付与手段を備えた構成である。
【００２１】
請求項３に係る発明は、請求項２に記載の紙葉類処理装置において、前記逆送力付与手段は、前記紙葉類が前記取出し手段から前記搬送手段に受け渡されるまでの間は前記逆送力を小さく保持し、前記取出し手段から前記搬送手段へ前記紙葉類が受け渡された後に前記逆送力を大きく制御する構成である。
【００２２】
請求項４に係る発明は、請求項１に記載の紙葉類処理装置において、前記逆送力付与手段は回転自在の逆送ロータを備え、この逆送ロータの外周面に前記紙葉類を吸引自在の複数の吸引口を適宜間隔に備え、前記逆送ロータの外周面における所定範囲の吸引口の面積が他の範囲の吸引口の面積よりも大きい構成である。
【００２３】
請求項５に係る発明は、請求項１に記載の紙葉類処理装置において、前記逆送力付与手段は回転自在の逆送ロータを備え、この逆送ロータの外周面における所定範囲の摩擦係数が他の範囲の摩擦係数よりも大きい構成である。
【００２４】
請求項６に係る発明は、請求項２に記載の紙葉類処理装置において、前記逆送力付与手段は回転自在の逆送ロータを備え、この逆送ロータの外周面における所定範囲に突出部を備えた構成である。
【００２５】
請求項７に係る発明は、請求項１に記載の紙葉類処理装置において、前記逆送力付与手段は回転自在の逆送ロータを備え、この逆送ロータの外周面に前記紙葉類を吸引自在の複数の吸引口を適宜間隔に備え、前記逆送ロータの外周面における所定範囲の吸引口の面積が他の範囲の吸引口の面積よりも大きい構成であり、前記取出し手段から前記搬送手段へ前記紙葉類が受け渡された後に前記所定範囲の吸引口が前記紙葉類に対向して逆送力を増大すべく前記逆送ロータの回転と前記搬送手段への前記紙葉類の受け渡しとを同期した構成である。
【００２６】
請求項８に係る発明は、請求項１に記載の紙葉類処理装置において、前記逆送力付与手段は回転自在の逆送ロータを備え、この逆送ロータの外周面における所定範囲における摩擦係数が他の範囲の摩擦係数よりも大きい構成であり、前記取出し手段から前記搬送手段へ前記紙葉類が受け渡された後に摩擦係数の大きい前記所定範囲が前記紙葉類に対向して逆送力を増大すべく前記逆送ロータの回転と前記搬送手段への前記紙葉類の受け渡しとを同期した構成である。
【００２７】
請求項９に係る発明は、請求項２に記載の紙葉類処理装置において、前記逆送力付与手段は回転自在の逆送ロータを備え、この逆送ロータの外周面における所定範囲に突出部を備えた構成であり、前記取出し手段から前記搬送手段へ前記紙葉類が受け渡された後に前記所定範囲の突出部が前記紙葉類に対向して逆送力を増大すべく前記逆送ロータの回転と前記搬送手段への前記紙葉類の受け渡しとを同期した構成である。
【００２８】
【発明の実施の形態】
以下、図面を用いて本発明の実施の形態について説明するに、紙葉類処理装置の全体的構成は前述した従来の構成とほとんど同一であり、説明が重複することとなるので、紙葉類処理装置の全体的構成の説明は省略し、本発明の主要部に係る構成についてのみ説明することとする。
【００２９】
本発明は、前述した従来の紙葉類処理装置における取出し部１０２に相当する部分の改善を行ったもので、図１に示すように、本発明の実施の形態に係る取出し部１には、前述の固定軸１１６に相当する固定軸３が設けられており、この固定軸３の軸芯部には、真空ポンプ（図示省略）に接続して負圧に保持されるチャンバ５が設けられている。そして、この固定軸３の下部側には適宜幅の開口部７が設けられている。
【００３０】
そして、上記固定軸３には、前記ロータ１１９に相当するパイプ状の取出しロータ９が回転自在に嵌合して支持されており、取出し手段としての前記取出しロータ９の外周面の適宜範囲には、前記開口部７に接続されたときに、取出し力ととしての吸引力を発生する複数の吸引口１１が設けられている。さらに上記取出しロータ９には前記ベルト１２０に相当する複数本のベルト１３が掛回してあると共に、当該取出しロータ９の回転位置及び回転数（回転速度）を検出するためのロータリーエンコーダ等のごときロータ回転位置検出センサ１５が適宜に連動連結（連結状態は図示省略）して設けられている。
【００３１】
したがって、前記取出しロータ９の回転速度や前記吸引口１１の回転位置は、前記ロータ回転位置検出センサ１５によって検出することができるものである。すなわち、前記吸引口１１の回転位置は常に検出されているものである。
【００３２】
さらに前記取出し部１には、前記アイドルローラ１２４に相当するアイドルローラ１７が前記取出しロータ９の斜め下側でかつ前記開口部７に近接した位置に配置してあり、このアイドルローラ１７には、前記ベルト１３との間に紙葉類を挟み込んで搬送するベルト１９が掛回してある。上記ベルト１３，１９は、前述した従来の構成と同様に、紙葉類をベルト１３，１９によって挾持して搬送する搬送手段としての搬送路２１を構成しているものである。
【００３３】
前記取出しロータ９の下方位置には、当該取出しロータ９に対して積層された紙葉類２３の供給を行う給紙装置２５が設けられている。この給紙装置２５は、積層した紙葉類２３を積層支持して上下自在の給紙台２７を備えている。
【００３４】
そして、この給紙台２７の前側（図１において左側）には、前記給紙台２７上に積載されている紙葉類２３の前端部（先端部）を所定の位置に規制する位置決めブラケット２９が所定高さ位置に配置してあり、この位置決めブラケット２９の上部両側には、前記取出しロータ９によって取出されて前記搬送路２１へ移送される紙葉類２３を案内支持する複数本のガイド部材３１が設けられている。さらに、前記給紙台２７の後側（図１において右側）には、給紙台２７上に紙葉類２３の後端部を規制自在の規制部材３３が設けられている。
【００３５】
なお、前記給紙台２７を上下動するための構成は、前述した従来の構成と同一の構成であっても良いものであり、適宜の構成とすることができるので、前記給紙台２７を上下動するための構成についての説明は省略する。
【００３６】
上記構成により、積層した最上部の紙葉類２３が前記取出しロータ９の下部に接触するように前記給紙台２７を次第に上昇することができ、前記取出しロータ９と積層された最上部の紙葉類２３との位置的関係を常に一定に保持することができるものである。
【００３７】
前記アイドルローラ１７と前記給紙装置２５との間で、かつ前記取出しロータ９の下方位置には、前記取出しロータ９によって前記給紙装置２５から取出される紙葉類２３の２枚取りを防止するための２枚取り防止手段３５が設けられている。
【００３８】
上記２枚取り防止手段３５は、真空ポンプ（図示省略）と接続して負圧に保持されるチャンバ３７を軸芯部に備えたパイプ状の小径の固定軸３９を備えており、この固定軸３９には、前記固定軸３の開口部７と対向した開口部４１が設けられている。
【００３９】
前記固定軸３９には、前記取出しロータ９による紙葉類２３の取出し移送方向に対して逆方向にモータ（図示省略）によって回転される逆送ロータ４３が回転自在に支持されている。この逆送ロータ４３は、前記取出しロータ９によって取出された紙葉類２３の２枚取りを防止するために上記紙葉類２３に逆送力を付与する作用をなすものであって、この逆送ロータ４３には前記紙葉類２３に付与する逆送力を制御するための手段が講じられている。すなわち、この逆送ロータ４３には、前記開口部４１と接続したときに、紙葉類２３に対して逆送力を付与すべく吸引作用を行う複数の吸引口４５が外周面の周方向に適宜に設けられている。
【００４０】
そして、前記逆送ロータ４３の外周面の周方向の所定範囲には、当該逆送ロータ４３による逆送力を増大すべく制御するための逆送力増大領域（逆送力増大範囲）４７が設けられている。上記逆送力増大領域４７としは、図２（Ａ）に示すように、吸引口４５の数を多くして吸引面積を大きくしてある。なお、吸引面積をその他の領域（範囲）よりも大きくする構成としては、吸引口４５の数を多くする他に、吸引口４５の面積をより大きくしても良いものである。
【００４１】
前記逆送ロータ４３の回転位置及び回転速度を検出するために、前記逆送ロータ４３には、例えばロータリーエンコーダ等のごとき逆送ロータ回転位置検出センサ４９が適宜に連動連結してある。したがって、逆送ロータ４３の回転速度や前記逆送力増大領域４７の回転位置は、前記逆送ロータ回転位置検出センサ４９によって検出することができるものであり、前記逆送力増大領域４７の回転位置は常に検出されているものである。
【００４２】
前記取出しロータ９の矢印Ａ方向への回転と前記アイドルローラ１７の矢印Ｂ方向への回転は、ベルト１３、１９の矢印Ｃ方向への走行速度が等しくなるように同期してある。そして、前記取出しロータ９の矢印Ａ方向への回転と逆送ロータ４３の逆送方向（矢印Ｄ方向）への回転は、所定の回転関係となるように同期回転してある。すなわち、前記取出しロータ９の吸引口１１が前記開口部７に連通して吸引力が発生し、積層してある最上部の紙葉類２３を取出す取出し力の発生と同期して前記紙葉類２３に付与する逆送力を制御可能のように前記取出しロータ９の回転と逆送ロータ４３の回転が同期してある。
【００４３】
なお、図１に示した構成においては、取出しロータ９と逆送ロータ４３は適宜に離反してあるが、必ずしも離反してある必要はなく、軽く接触した状態に構成しても良いものである。
【００４４】
さて、以上のごとき構成において、取出しロータ９を矢印Ａ方向へ回転して、当該取出しロータ９の吸引口１１が開口部７の位置に回転すると、図３（Ａ）に概略的に示すように、前記吸引口１１は負圧となり給紙装置２５の給紙台２７上に積層された最上部の紙葉類２３の前端付近を吸着し、回転方向に取出し移送することになる。
【００４５】
前記取出しロータ９の吸引口１１によって吸引されて取出し移送される紙葉類２３はガイド部材３１に案内されつつ搬送路２１方向へ移送される。前記取出しロータ９によって紙葉類２３を取出し移送するとき、取出し移送される紙葉類２３の下面に逆送ロータ４３が接触する。この逆送ロータ４３の全周に適宜間隔に設けた吸引口４５の１部が固定軸３９の開口部４１に連通して前記紙葉類２３を弱く吸引する。
【００４６】
したがって、前記取出しロータ９によって取出し移送される紙葉類２３の下面には、逆送ロータ４３との接触により、取出し移送方向とは逆方向の弱い逆送力が付与され、紙葉類２３が２枚取りされた場合には、下面に付着した状態にある別の紙葉類２３の付着状態に対応して付着位置の位置ずれを生じ又は逆送されることとなり、２枚同時に搬送路２１へ搬送されることが防止されることになる。すなわち紙葉類２３の２枚取りが防止されることになる。
【００４７】
この際、前記取出しロータ９によって取出し移送される紙葉類２３が１枚の場合には、前記取出しロータ９による紙葉類２３の吸引力（吸着力）に比較して、前記逆送ロータ４３による紙葉類２３の逆送力は弱いので、前記取出しロータ９に吸着された状態にある紙葉類２３に位置ずれ等を生じることなく搬送路２１へ移送されるものである。
【００４８】
なお、前記弱い逆送力を取出し移送される紙葉類２３に付与する構成としては、前記吸引口４５による弱い吸引によることなく、紙葉類２３と逆送ロータ４３との接触による摩擦力とすることも可能である。すなわち、逆送ロータ４３の外周面と紙葉類２３との接触による摩擦によって紙葉類２３に弱い逆送力を付与する構成としても良いものであり、この場合には、吸引作用を行う前記吸引口４５を省略した構成とすることも可能である。もちろん、吸引口４５により吸引するとともに、逆送ロータ４３の外周面と紙葉類２３との接触による摩擦を用いて逆送力を付与してもよい。
【００４９】
前述のごとく、取出しロータ９により取出し移送された紙葉類２３の先端部が搬送路２１に達してベルト１３，１９によって挟み込まれると、図３（Ｂ）に概略的に示すように、逆送ロータ４３の逆送力増大領域４７が固定軸３９の開口部４１と対応した位置に回転し、取出し移送されている前記紙葉類２３の下面をより強力に吸引することとなる。
【００５０】
すなわち、取出し移送されている紙葉類２３の先端部が搬送路２１においてベルト１３，１９に挟み込まれて安定した状態になると、逆送ロータ４３の逆送力増大領域４７が前記紙葉類２３に対応してより大きな逆送力を付与することになる。したがって、取出すべき紙葉類２３は前記弱い逆送力によっても逆送されることなく、取出し移送される紙葉類２３の下面に付着した状態にある別の紙葉類２３を前記給紙装置２５側へ強力に逆送できることとなり、紙葉類２３の２枚取りをより確実に防止することができるものである。
【００５１】
ところで、前記取出しロータ９によって取出し移送される紙葉類２３が１枚の場合にも、紙葉類２３が前記ベルト１３，１９に挟み込まれると、前記逆送ロータ４３により大きな逆送力が付与されることになるが、前記ベルト１３，１９による紙葉類２３の挟持力は強力であって、逆送ロータ４３によって付与される大きな逆送力によっては逆送されることはないものである。
【００５２】
既に理解されるように、紙葉類２３が取出し手段としての取出しロータ９から搬送手段としての搬送路２１に受け渡されるまでの間は、逆送力は小さく保持され、前記取出しロータ９から前記搬送路２１へ紙葉類２３が受け渡された後に前記逆送力は大きくなるものである。
【００５３】
ところで、逆送ロータ４３の所定範囲に逆送力増大領域４７を形成する構成としては、吸引口４５の径を大きく又は吸引口４５の数を大きくして全体としての面積を大きくする構成に代えて又は並用して、図２（Ｂ）に示すように、所定範囲に摩擦係数の大きな摩擦力付与部又は部材４９を追加して設けた構成としても良く、また逆送ロータ４３の表面粗度等を調整して表面の摩擦係数を変更しても良いものであり、このように構成しても前述同様の効果が得られるものである。
【００５４】
また、取出しロータ９と逆送ロータ４３とが常に離れた状態にある構成の場合には、図２（Ｃ）に示すように、逆送ロータ４３の外周面から適宜高さに突出した突出部５１を所定範囲に設けた構成として、逆送力増大領域４７を構成しても良いものである。この場合、前記突出部５１の構成としては、前記逆送力増大領域４７の全面が、例えば前記逆送ロータ４３の外周面から盛上るように突出した構成でも、また前記逆送力増大領域４７の全面が凹凸の曲面、例えば波型の曲面を形成した構成でも良い。さらには、前記逆送力増大領域４７内に、例えばピン状、筒状などのごとき適宜形状の複数の突起部を適宜に配置した構成としてもよいものである。具体的には、吸引口４５自身が突起部としてノズル状に形成されても良いし、吸引口４５の間に選択的に突起部が形成されても良い。
【００５５】
この構成においては、取出しロータ９と逆送ロータ４３とのギャップを制御することによって紙葉類２３に付与する逆送力を制御しているものである。すなわち、換言すれば、取出し手段としての取出しロータ９の取出し力の発生と同期して取出しロータ９と逆送ロータ４３とのギャップを制御していることになるものである。このように構成しても前述同様の効果が得られるものである。
【００５６】
さらに、逆送ロータ４３の吸引口４５を省略した構成とすることも可能であり、このような構成においては、逆送ロータ４３の外周面の所定範囲の摩擦係数が他の範囲の摩擦係数よりも大きくなる構成、例えば上記所定範囲にローレットを施した構成等とすることも可能である。また、吸引口と摩擦の両者を並用することも可能である。
【００５７】
以上のごとき説明より理解されるように、給紙装置に積載された最上部の紙葉類を取出しロータによって取出し移送するとき、取出し移送方向に対して逆方向に回転する逆送ロータが前記紙葉類の下面に作用して逆送力を付与するので、紙葉類の２枚取りが効果的に防止されることになる。
【００５８】
そして、取出し移送される紙葉類の先端部が搬送路に達してベルトに挟み込まれた直後に、前記逆送ロータに備えた逆送力増大領域が紙葉類に作用してより大きな逆送力が付与されるので、２枚取り防止がより確実に行われることになる。この逆送力増大領域が紙葉類に作用する時期は、紙葉類の先端部が搬送路のベルトに挟み込まれて安定した状態にあるときであるから、取出しロータによって周期的に取出し移送される紙葉類のピッチ誤差の発生を抑制することができるものである。
【００５９】
さらに、取出しロータによって取出し移送される紙葉類の下面に付着して２枚取りを防止された後の余分な紙葉類は、逆送ロータの回転により逆送されて給紙装置側へ戻されることとなり、定位置に停止した状態になるようなことがなく、取出しの外乱を抑制でき、前述したごとき従来の問題を解消することができるものである。
【００６０】
【発明の効果】
以上のごとき説明より理解されるように、本発明によれば、紙葉類の２枚取りが効果的に防止され、前述したごとき従来の問題を解消し得るものである。
【図面の簡単な説明】
【図１】本発明の実施の形態に係る取出し部の構成を示す構成説明図である。
【図２】実施の形態に係る逆送ロータの構成を示す説明図である。
【図３】紙葉類を取出し移送する際の概略的な作用説明図である。
【図４】従来の紙葉類処理装置の全体的構成を概略的に示した説明図である。
【図５】従来構成の主要部分を示した説明図である。
【符号の説明】
１…取出し部
３，３９…固定軸
５，３７…チャンバ
７，４１…開口部
９…取出しロータ
１１…吸引口
１３，１９…ベルト
２１…搬送路
２３…紙葉類
２５…給紙装置
３５…２枚取り防止手段
４３…逆送ロータ
４７…逆送力増大領域
【図１】
0003713459.tif 000002
【図２】
0003713459.tif 000003
【図３】
0003713459.tif 000004
【図４】
0003713459.tif 000005
【図５】
0003713459.tif 000006